(57)【特許請求の範囲】
【請求項１】
全体を支持するためのベース板と、
前記ベース板上に配置され、保水させるための布団綿と、
前記布団綿に並べられた生花と、
前記布団綿に配置された前記生花を覆う透過性を有するカバーとを備え、
前記ベース板は、ダンボール紙より形成されており、フルートが横幅方向に沿った第１ベース板と、フルートが長さ方向に沿った方向に沿った第２ベース板とを重ね合わせて形成され、
前記第２ベース板は、前記第１ベース板より幅広く形成され、
前記第２ベース板の余剰分が第１ベース板側に折り返されて補強部が形成された葬儀用掛け布団。
【請求項２】
前記生花は、その軸部の切断面が、前記布団綿に接触した状態に配置された請求項１記載の葬儀用掛け布団。
【請求項３】
前記ベース板は、片面にビニールフィルムが貼り付けられたダンボール紙により形成された板材を含む請求項１または２記載の葬儀用掛け布団。
【請求項４】
前記カバーは、網目状に形成されたレースにより形成された請求項１から３のいずれかの項に記載の葬儀用掛け布団。
【発明の詳細な説明】
【技術分野】
【０００１】
本発明は、棺の故人に掛けられる葬儀用掛け布団に関するものである。
【背景技術】
【０００２】
葬儀では、故人が収められた棺の中に、祭壇に供えられた供花の花部分を取って別れ花として入れ、参列者が故人と最後のお別れをする儀式が行われる。このような別れ花を故人が寝ている布団の掛け布団に取り付けたものが知られている（例えば、特許文献１参照。）。
【０００３】
特許文献１に記載の別れ花付き布団およびその使用方法は、布団と、布団の表面に別れ花として取り付けられた造花とから構成されたものである。この造花は、菊の花の形状の花部分と、この花部分の底部に取り付けられ、布団に貫通される軸部と、この軸部の先端に着脱自在に取り付けられるキャップとから構成されている。
このように、造花を別れ花として並べた布団を故人に掛けることで、遺族や親族が、別れ花の儀式にて自らの手で生花の花部分をちぎり取り棺の中に入れることによる慌しさから解放され、故人との最後の対面の時間を長くすることできる。
【先行技術文献】
【特許文献】
【０００４】
【特許文献１】特開２００１−２０１８７号公報
【発明の概要】
【発明が解決しようとする課題】
【０００５】
しかし、作り物の花では、故人との最後のお別れにしては華やかさに欠ける。造花であれば、掛け布団を葬儀場に搬入して故人に掛けるまで、雑に扱われても花弁が外れることは少ないかと思われるが、造花の代わりに生花の軸部（花柄）を直接布団に貫通させた場合には、搬入したり故人に掛けたりする際に、花弁が外れたり、軸部（花柄）が折れたり、生花が布団綿から抜けレイアウト（配置）が崩れたりするおそれがある。
【０００６】
そこで本発明は、生花の崩れを防止することにより、生花による装飾で華やかに故人を送ることができる葬儀用掛け布団を提供することを目的とする。
【課題を解決するための手段】
【０００７】
本発明の葬儀用掛け布団は、全体を支持するためのベース板と、前記ベース板上に配置され、保水させるための布団綿と、前記布団綿に並べられた生花と、前記布団綿に配置された前記生花を覆う透過性を有するカバーとを備えたことを特徴とする。
【０００８】
本発明の葬儀用掛け布団によれば、生花が布団綿に並べられ、布団綿に保水させることで、布団綿からの水分により生花を日持ちさせることができるので、生花が生き生きとして映えるため、華やかに故人を送ることができる。また、布団綿がベース板に担持され、布団綿に配置された生花はカバーにより覆われているため、葬儀場に搬入したり、故人に掛けたりして揺れても、生花がずれたり、抜けたり、花弁が外れたりすることを防止することができる。
【０００９】
前記生花は、その軸部の切断面が、前記布団綿に接触した状態に配置されたものとすることができる。生花の長い軸部を切断したときの切断面が布団綿に接触した状態となることで、切断面から布団綿の水分を吸収させることができるため、生花をより長持ちさせることができる。
【００１０】
前記ベース板は、ダンボール紙より形成されており、フルートが横幅方向に沿った第１ベース板と、フルートが長さ方向に沿った方向に沿った第２ベース板とを重ね合わせて形成されたものとすることができる。
ベース板は、フルートの方向が、第１ベース板と第２ベースとが交差することで、軽く安価なダンボール紙に十分な強度を確保させることができる。
【００１１】
前記第２ベース板は、前記第１ベース板より幅広く形成され、前記第２ベース板の余剰分が第１ベース板側に折り返されて補強部が形成されたものとすることができる。補強部が形成されていることで、更に強度を向上させることができ、第２ベース部が長さ方向に沿ったフルートのダンボール紙により形成されていることで、第１ベース側に折り曲げる際に、容易に折り曲げることができる。
【００１２】
前記ベース板は、片面にビニールフィルムが貼り付けられたダンボール紙により形成された板材を含むものとすることができる。布団綿から滲み出した水が、ベース板の底面から滲み出ることを防止することができる。
【００１３】
前記カバーは、網目状に形成されたレースにより形成されたものとすることができる。カバーが、網目状に形成されたレース製とすることにより、生花からの香りがカバーを通過して放散されるため、心地よい匂いに包まれながら故人を送ることができる。
【００１４】
本発明の葬儀用掛け布団は、全体を支持するためのベース板を製作するステップと、前記ベース板上に布団綿を配置するステップと、前記布団綿に水を噴霧して保水させるステップと、前記布団綿に生花を並べるステップと、前記布団綿に配置された前記生花を、透過性を有するカバーにより覆うステップとを含むことを特徴とする本発明の葬儀用掛け布団の製造方法により製作することができる。
【発明の効果】
【００１５】
本発明は、葬儀場に搬入したり、故人に掛けたりして揺れても、生花がずれたり抜けたり、花弁が外れたりすることを防止することができるので、生花の崩れを防止することにより、生花による装飾で華やかに故人を送ることができる。
【図面の簡単な説明】
【００１６】
【図１】本発明の実施の形態に係る葬儀用掛け布団を示す図であり、（Ａ）は斜視図、（Ｂ）は水平方向から見た概略図である。
【図２】図１に示す葬儀用掛け布団の製造方法を説明するための図であり、（Ａ）は第１下地シートと第２下地シートとを重ね合わせた状態を示す図、（Ｂ）は補強用シートの上に下地シートを配置した状態の図、（Ｃ）は補強用シートの余剰部分を折り曲げた状態の図である。
【図３】図２から続く葬儀用掛け布団の製造方法を説明するための図であり、（Ａ）は装飾用紙の上に芯材を配置した状態の図、（Ｂ）はベース板を示す図である。
【図４】図３から続く葬儀用掛け布団の製造方法を説明するための図であり、（Ａ）はベース板に布団綿を配置した状態の図、（Ｂ）は布団綿に花類を配置した状態の図，（Ｃ）は花類をカバーで覆って完成した状態の図である。
【発明を実施するための形態】
【００１７】
本発明の実施の形態に係る葬儀用掛け布団を図面に基づいて説明する。
図１に示す葬儀用掛け布団１０は、ベース板２０と、布団綿３０と、花類４０と、カバー５０とを備えている。
【００１８】
ベース板２０は、全体を支持するためのものであり、葬儀用掛け布団１０の底部に位置して布団綿３０と花類４０とカバー５０とを担持する。ベース板２０は、火葬の際に燃焼できればよく、可燃性を有するものであれば採用することができ、例えば、木材、樹脂などとすることができるが、本実施の形態では、ベース板２０を、ダンボール紙とダンボール紙を包む化粧紙により形成している。ベース板２０は、葬儀用掛け布団１０を下から両手で持ち上げたときに、平板状態が維持できる程度の強度を有している。
【００１９】
布団綿３０は、ベース板２０上に配置され、保水させるためのものである。布団綿３０は、綿花による天然の綿としたり、化学繊維との混紡としたりすることができる。布団綿３０は、薄いシート状の綿を積層して形成されている。
【００２０】
花類４０は、少なくとも生花４１が含まれたものとすることができる。本実施の形態では、花類４０は、別れ花となる生花４１だけでなく、葉物４２も含まれている。花類４０は、生花４１と、葉物４２とが、布団綿３０に並べられている。
【００２１】
カバー５０は、透過性を有する部材により形成されており、例えば、透けて花類４０が視認できれば透明ビニールフィルムでもよいが、柔軟性および通気性があり、気品が得られるレース製の布地により形成されている。本実施の形態では、カバー５０は、チュール布（亀甲紗）により形成されている。
【００２２】
以上のように構成された本発明の実施の形態に係る葬儀用掛け布団１０の製造方法を図面に基づいて説明する。
まず、図２（Ａ）に示すように、養生用に使用される片面にビニールフィルムが貼り付けられたロール状のダンボール紙から、横幅が約４５ｃｍ、長さが約１３０ｃｍの第１下地シート２１を切り出す。このときフルートＦＨは、幅方向Ｆ１に沿った向きとする。
次に、巻ダンボールと称されるロール状のダンボールから、横幅が約４５ｃｍ、長さが約１３０ｃｍの第２下地シート２２を切り出す。このときフルートＦＨは、第１下地シート２１と同様に、幅方向Ｆ１に沿った向きとする。
【００２３】
次に、図２（Ｂ）に示すように、フルートＦＶが第１下地シート２１および第２下地シート２２と直交する方向となる、長さ方向Ｆ２に沿った方向とし、横幅が、第１下地シート２１および第２下地シート２２より幅広い約５１ｃｍ、長さが約１００ｃｍに形成された補強用シート２３，２４（第２ベース板）を２枚切り出す。
【００２４】
そして、第１下地シート２１を下に、第２下地シート２２を上にして、第１下地シート２１と第２下地シート２２とを幅方向Ｆ１および長さ方向Ｆ２を合わせて貼り合わせ、下地シート２５（第１ベース板）を製作する。この貼り合わせは、接着材でもよいが、例えば、ステープラにより貼り合わせ、固定することができる。
【００２５】
次に、図２（Ｃ）に示すように、補強用シート２３，２４を長さ方向Ｆ２にずらして、全体の長さが下地シート２５と同じ長さになるように、かつ下地シート２５からはみ出した余剰分２３ｓ，２４ｓが幅方向Ｆ１に均等になるようにして配置する。そして、補強用シート２３，２４と下地シート２５との長さ方向Ｆ２の両端部を、ステープラなどにより固定する。
【００２６】
次に、補強用シート２３，２４の余剰分２３ｓ，２４ｓを下地シート２５側に折り返して下地シート２５に固定することで補強部が形成された芯材２６を製作する。
そして、図３（Ａ）に示すように、ラッピング用紙などの装飾用紙２７の上に芯材２６を置き、図３（Ｂ）に示すように、芯材２６の周囲の装飾用紙２７の余剰分を芯材２６に折り曲げると、ベース板２０の完成である。
本実施の形態では、装飾用紙２７によりベース板２０を装飾しているが、高級感を演出するために、装飾用紙２７の代わりに、模様や柄が付いた装飾用の生地によりベース板２０を装飾してもよい。
【００２７】
次に、図４（Ａ）に示すように、ベース板２０上に布団綿３０を配置する。布団綿３０は矩形状の綿シートを長さ方向Ｆ２に並べると共に、積層して形成される。
そして、十分な厚みに布団綿３０が積層して形成されれば、霧吹きなどにより水を噴霧して、布団綿３０に十分に保水させる。
【００２８】
次に、図４（Ｂ）に示すように、花類４０を布団綿３０に配置する。この場合、布団綿３０が見えなくなる程度に敷き詰めるのが華やかさを演出する観点から望ましい。このとき、生花４１における軸部の切断面と、葉物４２における軸部の切断面とが布団綿３０の中に位置するように置いたり、生花４１の軸部と葉物４２の軸部とを布団綿３０に突き刺したりして保持させる。そうすることで、軸部の切断面が保水した布団綿３０に接触するので、切断面から布団綿の水分を吸収させることができるため、生花４１や葉物４２をより長持ちさせることができる。
【００２９】
次に、図４（Ｃ）に示すように、カバー５０を上から掛け、長手方向に沿ったベース板２０の一方の側部２０ａにステープラなどによりカバー５０を固定し、カバー５０を引っ張りながらベース板の他方の側部２０ｂに固定する。そして、同様にして、カバー５０をベース板２０の長手方向の両方の端部２０ｃ，２０ｄに固定する。
このとき、カバー５０にテンションを掛けながらベース板２０に固定することで、花類４０の移動を効果的に抑止することができる。このようにして、葬儀用掛け布団１０を完成させることができる。
【００３０】
このような葬儀用掛け布団１０は、布団綿３０に並べられた、生花４１と葉物４２とによる花類４０が、布団綿３０に保水させることで、花類４０を日持ちさせることができる。従って、生花４１や葉物４２であっても生き生きとして映えるため、華やかに故人を送ることができる。また、布団綿３０がベース板２０に担持され、布団綿３０に配置された花類４０がカバー５０により覆われているため、葬儀場に搬入したり、故人に掛けたりして、葬儀用掛け布団１０が揺れても、花類４０がずれたり、抜けたり、花弁が外れたりすることを防止することができる。
従って、葬儀用掛け布団１０は、生花を含む花類４０の崩れを防止することにより、花類４０による装飾で華やかに故人を送ることができる。
【００３１】
また、ベース板２０は、フルートが幅方向Ｆ１に沿った第１下地シート２１および第２下地シート２２（下地シート２５）と、長さ方向Ｆ２に沿った補強用シート２３，２４とが重ね合わされている。そのため、ベース板２０は、軽く安価なダンボール紙であるが十分に強度を確保することができる。
また、下地シート２５に対する補強用シート２３，２４の余剰分２３ｓ，２４ｓを下地シート２５側に折り曲げ固定しているため、更に強度を向上させることができる。
【００３２】
また、補強用シート２３，２４は、フルートが長さ方向Ｆ２に沿って形成されているため、下地シート２５側に折り曲げる際に、容易に折り曲げることができる。
更に、ベース板２０は、片面にビニールフィルムが貼り付けられたダンボール紙により形成された板材である第１下地シート２１が含まれているため、布団綿３０からの水が、ベース板２０の底面から滲み出ることが防止できる。
【００３３】
布団綿３０から水がベース板２０に滲み出ると、ダンボール紙により形成されたベース板２０が保水する。従って、布団綿３０が乾燥してもベース板２０からの水蒸気が放散されて布団綿３０を適度な湿気に維持することができるため、花類４０を更に長持ちさせることができる。
【００３４】
また、透過性を有するカバー５０が、網目状に形成されたレース製であることから、生花４１からの香りがカバー５０を通過して放散されるため、心地よい匂いに包まれながら故人を送ることができる。
【産業上の利用可能性】
【００３５】
本発明は、通夜や告別式などの故人に掛ける葬儀用掛け布団に好適である。
【符号の説明】
【００３６】
１０  葬儀用掛け布団
２０  ベース板
２０ａ，２０ｂ  側部
２０ｃ，２０ｄ  端部
２１  第１下地シート
２２  第２下地シート
２３，２４  補強用シート
２３ｓ，２４ｓ  余剰分
２５  下地シート
２６  芯材
２７  装飾用紙
３０  布団綿
４０  花類
４１  生花
４２  葉物
５０  カバー
ＦＨ，ＦＶ  フルート
Ｆ１  幅方向
Ｆ２  長さ方向
【要約】
【課題】生花の崩れを防止することにより、生花による装飾で華やかに故人を送ることができる葬儀用掛け布団および葬儀用掛け布団の製造方法を提供する。
【解決手段】葬儀用掛け布団１０は、全体を支持するためのベース板２０と、ベース板２０上に配置され、保水させるための布団綿３０と、布団綿３０に軸部が突き立てられ並べられた生花４１と、布団綿３０に配置された生花４１を覆う透過性を有するカバー５０とを備えている。布団綿３０がベース板２０に担持され、布団綿３０に配置された生花４１はカバー５０により覆われているため、葬儀場に搬入したり、故人に掛けたりして揺れても、生花がずれたり抜けたり、花弁が外れたりすることを防止することができる。
【選択図】図１【図１】
0006896931.tif 000002
【図２】
0006896931.tif 000003
【図３】
0006896931.tif 000004
【図４】
0006896931.tif 000005